(57)【要約】【課題】  カメラ付き携帯電話機などに設けられたＬＥＤを効率的に利用する。【解決手段】  本発明における画像撮影装置１０は、撮影機能だけでなく、通信機能を有する。画像撮影装置１０は、例えばカメラ付き携帯電話機であり、ＬＥＤで構成される着信通知部１、カメラ部２およびＬＣＤモニタ２０を備える。着信通知部１のＬＥＤは、着信が検出されたとき、ユーザに対する着信通知のために通常発光し、カメラ部２による撮影が行われるとき、撮影フラッシュのために高輝度発光する。【選択図】        図１
2005102000.tif 000002
【特許請求の範囲】
【請求項１】
複数の発光素子、画像撮影ユニット、通信ユニット、および装置全体を統括的に制御する制御回路を備え、
前記制御回路は、通信ユニットにおいて着信が検出されたとき前記発光素子を着信通知用に通常発光させ、前記画像撮影ユニットによる撮影が行われるとき前記発光素子を撮影フラッシュ用に高輝度発光させることを特徴とする画像撮影装置。
【請求項２】
複数の発光素子は、赤色、緑色、青色の３色の発光ダイオードを含むことを特徴とする請求項１に記載の画像撮影装置。
【発明の詳細な説明】
【技術分野】
【０００１】
本発明は発光素子を備えた画像撮影装置に関し、特に発光素子の発光を制御する制御回路を備えた画像撮影装置に関する。
【背景技術】
【０００２】
デジタルカメラは、ＣＣＤ（Charge-Coupled Device）などの受光素子によって被写体を撮像する。このＣＣＤはフォトダイオードを備え、外光を光電効果によって電荷に変換する。そして、光の強さに応じて発生した電荷によって画像情報の記録、すなわち、撮像がなされる。ＣＣＤ１素子につき１色の色フィルタが設けられ、この色フィルタは、たとえば、ＲＧＢ（Red-Green-Blue）などの原色に対応し、その対応する色彩のみを通過させる性質を有する。ＣＣＤと色フィルタを組み合わせることにより、デジタルカメラは、光の強弱に加えて、被写体の色彩情報を取得する。従来よりカメラのストロボ装置には、光源としてキセノン管を使用することが一般的であったが、このキセノン管に代わる光源として、発光ダイオードを提案するものがある（例えば、特許文献１参照。）。
【特許文献１】特開２００２−１１６４８１号公報
【発明の開示】
【発明が解決しようとする課題】
【０００３】
近年では、ＣＣＤの高画素化に伴い、携帯電話機やＰＤＡ（Personal Data Assistant）などの電池駆動型の携帯機器でも、デジタルカメラ機能を有するものが増えている。特に携帯電話機に関していえば、カメラ機能をもたせることで、通信機能しかもたない携帯電話機との差別化を図っている。これらの携帯機器は小型ではあるが、最近では百万以上の画素をもつものもあり、写真をとるための手軽なツールとして人気を博している。
【０００４】
カメラとしての機能を追及すると、携帯電話機であってもストロボ機能をもたせて、暗所などにおける撮影時に、フラッシュをたけることが好ましい。ストロボ装置を携帯電話機に別途設けることも可能であるが、小型化および軽量化の観点から好ましくない。
【０００５】
本発明は、こうした課題に鑑みてなされたものであり、その目的は、カメラ付き携帯電話機などの画像撮影装置に、ストロボ機能をもたせる技術を提供することにある。
【課題を解決するための手段】
【０００６】
本発明の画像撮影装置は、複数の発光素子、画像撮影ユニット、通信ユニット、および装置全体を統括的に制御する制御回路を備える。この画像撮影装置において、制御回路は、通信ユニットにおいて着信が検出されたとき前記発光素子を着信通知用に通常発光させ、画像撮影ユニットによる撮影が行われるとき前記発光素子を撮影フラッシュ用に高輝度発光させる。ある発光素子に、着信通知とフラッシュ発光の両方の役割を実現させることで、それぞれを別個の発光素子として設ける場合と比較して、省スペース化を実現することができる。複数の発光素子は、赤色、緑色、青色の３色の発光ダイオードを含み、白色光を発することが好ましい。
【発明の効果】
【０００７】
本発明の画像撮影装置によると、発光素子を有効活用する技術を提供できる。
【発明を実施するための最良の形態】
【０００８】
図１は、本発明の実施例に係る通信機能を有した画像撮影装置１０の外観構成を示す。画像撮影装置１０は、通信機能および撮影機能を有して構成される。画像撮影装置１０は例えばカメラ付き携帯電話機であって、着信通知部１、カメラ部２およびＬＣＤモニタ２０を備える。ここでは、画像撮影装置１０として、二つ折り畳み式のカメラ付き携帯電話機を示しているが、折り畳み式でなくてもよい。
【０００９】
着信通知部１は発光ダイオード（以下、「ＬＥＤ」と呼ぶ）などの発光素子を有する。着信通知部１は、赤（Ｒ）、緑（Ｇ）、Ｂ（青）の３色のＬＥＤを有し、着信が検出されると、それらのＬＥＤを所定の態様で発光点滅させ、ユーザに着信を通知する。例えば、これらのＬＥＤは、スピーカから出力される着信音と同期した態様で発光する。３色のＬＥＤをそれぞれ独立して発光させることで、様々な色を作り出すことができる。これは、着信通知部１の通常の機能の実現であり、この発光は、着信通知用の通常発光と呼ぶことができる。
【００１０】
また、着信通知部１の３色のＬＥＤは、カメラ部２による撮影が行われるとき、撮影フラッシュ用に高輝度発光することもできる。ストロボとして十分な光量を確保するために、ＬＥＤは、アレイ状に多数配設されていることが好ましい。なお、各色のＬＥＤの数はそれぞれ同数でなくてもよく、ＬＥＤを最大限活用したとき、すなわち全てのＬＥＤをフル発光させたときに、白色光となるような割合で設けられることが好ましい。
【００１１】
このように着信通知部１が、着信通知用の通常発光と、撮影フラッシュ用の高輝度発光の２つの役割を担うことで、ストロボの構成を画像撮影装置１０に別途設ける必要はなく、省スペース化を実現することができる。
【００１２】
なお、このようなストロボ機能は、着信通知部１に限定せず、ＬＣＤモニタ２０にもたせてもよい。ＬＣＤモニタ２０が、バックライトの光源としてＬＥＤを備える場合、このＬＥＤを利用して、着信通知機能とストロボ機能の双方を実現することができる。
【００１３】
図２は、実施例に係る画像撮影装置１０の機能ブロックを示す。画像撮影装置１０は、操作部１２、発光部１４、撮像処理部１６、処理ブロック１８、ＬＣＤモニタ２０、通信処理部２２、メロディ部２４を含む。また、発光部１４は、ＬＥＤ２６、処理部２８を含み、処理ブロック１８は、ＣＰＵ３０、メモリ３２を含み、メロディ部２４は、スピーカ３４、処理部３６を含む。発光部１４はＬＥＤにより構成され、図１における着信通知部１に組み込まれる。また、発光部１４は、ＬＣＤモニタ２０のバックライトとして組み込まれてもよい。撮像処理部１６は、画像撮影ユニットとして構成され、図１のカメラ部２に相当する。
【００１４】
通信処理部２２は、通信に必要な処理を実行する通信ユニットであって、具体的には外部の電話機やサーバからの着信を検出し、または外部の電話機またはサーバに対して発信する。なお、ここでいう着信は、電話の着呼だけでなく、ネットワーク経由のサーバからのパケット通信の着呼も含む。なお、発信についても同様である。ここでは携帯電話システムとして、ＰＤＣ（Ｐｅｒｓｏｎａｌ  Ｄｉｇｉｔａｌ  Ｃｅｌｌｕｌａｒ  ｓｙｓｔｅｍ）を対象とするが、それ以外であっても、例えば、簡易型携帯電話システム、ＣＤＭＡ（Ｃｏｄｅ  Ｄｉｖｉｓｉｏｎ  Ｍｕｌｔｉｐｌｅ  Ａｃｃｅｓｓ）方式の移動通信システムでもよい。
【００１５】
撮像処理部１６は、処理ブロック１８からの指示をうけて撮像処理を行う。また、撮像処理部１６は、図示しないレンズ、絞り、光学ＬＰＦ（ローパスフィルタ）、ＣＣＤ、信号処理部等を含む。ＣＣＤの受光面上に結像した被写体像の光量に応じてＣＣＤに電荷が蓄積され、電圧信号として読み出される。電圧信号は信号処理部でＲ、Ｇ、Ｂ成分に分解され、ホワイトバランス調整、ガンマ補正が行われる。その後、Ｒ、Ｇ、Ｂ信号はＡ／Ｄ変換され、デジタル画像データとなって処理ブロック１８へ出力される。
【００１６】
操作部１２は、通信機能に関して、ユーザが電話番号等を入力するためのボタンを含む。また、撮影機能に関して、ユーザが撮像を行い、または各種動作モードを設定するためのパワースイッチ、レリーススイッチ等を含む。ＬＣＤモニタ２０は、通信機能に関して、通信を行っている相手の電話番号等を表示する。また、撮影機能に関して、被写体画像のほか、撮像／再生モード、ズーム倍率等を表示する。
【００１７】
メロディ部２４は、通信処理部２２で着信した場合に、ユーザに着信を通知する目的で所定の着信音を再生する。メロディ部２４のうち、処理部３６は、予め記憶された着信音のデータを再生するように、プログラムを実行する。スピーカ３４は、処理部３６で再生された着信音を外部に出力する。ここで、メロディ部２４は、着信音のほかに所定のメロディを再生してもよい。
【００１８】
発光部１４は、通信処理部２２で着信した場合に、前述の着信音に合わせて、ＬＥＤ２６をイルミネーションとして点滅させる。処理部２８は、ＬＥＤ２６を点滅させるための処理を実行する。また、画像撮影装置１０を撮像装置として使用する場合に、ＬＥＤ２６がフラッシュとして機能するように、処理部２８はＬＥＤ２６を発光させる。フラッシュとして使用する場合は、ユーザからの操作部１２への入力を受けて、ＣＰＵ３０が処理部２８にフラッシュ発光指示を伝達する。
【００１９】
処理ブロック１８は、画像撮影装置１０のプロセス全体を統括的に制御し、制御回路であるＣＰＵ（Central Processing Unit）３０とメモリ３２を含む。また、メモリ３２として、外部メモリを使用する構成であってもよい。
【００２０】
図３は、発光部１４の構成を示す。発光部１４は、リチウムイオン電池１００、処理ブロック１８と接続し、昇圧回路１０２、ＬＥＤ２６と総称される第１ＬＥＤ２６ａ、第２ＬＥＤ２６ｂ、第３ＬＥＤ２６ｃ、付加駆動回路１０４、第１発光制御部１０６、第２発光制御部１０８、スイッチ部１１０、主駆動回路１１２、メモリ１３６を含む。また、昇圧回路１０２は、昇圧チョッパ回路１５０、コンデンサ１２２、第１抵抗１５２、第２抵抗１２４、誤差増幅器１２６、ＰＷＭ回路１２８、ドライバ１３０を含み、昇圧チョッパ回路１５０は、インダクタンス１１４、抵抗１１８、ドライバ１３０、トランジスタＴｒ１を含み、第１発光制御部１０６は、ＰＷＭ制御部１３２、ＰＷＭ回路１３４と総称される第１ＰＷＭ回路１３４ａ、第２ＰＷＭ回路１３４ｂ、第３ＰＷＭ回路１３４ｃを含み、第２発光制御部１０８は、設定制御部１３８、設定回路１４０と総称される第１設定回路１４０ａ、第２設定回路１４０ｂ、第３設定回路１４０ｃを含み、スイッチ部１１０は、トランジスタＴｒ１、トランジスタＴｒ２、トランジスタＴｒ３を含み、主駆動回路１１２は、可変電流回路１４４と総称される第１可変電流回路１４４ａ、第２可変電流回路１４４ｂ、第３可変電流回路１４４ｃを含む。発光部１４のうちＬＥＤ２６以外の部分が、図１の処理部２８に相当する。
【００２１】
昇圧回路１０２は、リチウムイオン電池１００の電池電圧Ｖｂａｔを入力電圧として、入力電圧をスイッチング方式により昇圧して、昇圧電圧Ｖｏｄを出力する。ここで、電池電圧Ｖｂａｔを３Ｖとする。昇圧チョッパ回路１５０は、トランジスタＴｒ１のＯＮ／ＯＦＦ動作により、インダクタンス１１４へのエネルギーの蓄積、インダクタンス１１４からのエネルギーの放出を行い、電池電圧Ｖｂａｔを昇圧して昇圧電圧Ｖｏｄに変換する。昇圧チョッパ回路１５０において、トランジスタＴｒ１がＯＮの期間、インダクタンス１１４を経由してドレイン電流が抵抗１１８に流れ、電池電圧Ｖｂａｔによってインダクタンス１１４に磁気エネルギーが蓄えられる。次に、トランジスタＴｒ１がＯＦＦになると、トランジスタＴｒ１がＯＮの期間にインダクタンス１１４に蓄えられた磁気エネルギーが電気エネルギーとして放出され、ドライバ１３０を流れる電流となる。インダクタンス１１４で発生する電圧は電池電圧Ｖｂａｔに直列に加算され、主駆動回路１１２により安定化され、昇圧電圧Ｖｏｄとして出力される。
【００２２】
昇圧チョッパ回路１５０が出力する昇圧電圧Ｖｏｄの昇圧率は、スイッチとして動作するトランジスタＴｒ１のＯＮ／ＯＦＦの時間比により決まる。ＰＷＭ回路１２８は、このスイッチのＯＮ／ＯＦＦの時間比を作り出す回路であり、スイッチのＯＮ／ＯＦＦの切り替え周期をＴ、スイッチのＯＮの時間をＴｏｎとすると、デューティ比Ｔｏｎ／Ｔのパルス信号を発生する。ドライバ１３０は、ＰＷＭ回路１２８が発生するパルス信号に応じて、トランジスタＴｒ１をＯＮ／ＯＦＦさせる。すなわち、パルス信号がＨレベルであれば、トランジスタＴｒ１はＯＮし、パルス信号がＬレベルであれば、トランジスタＴｒ１はＯＦＦする。
【００２３】
ＰＷＭ回路１２８が発生するパルス信号のパルス幅は誤差増幅器１２６の出力に応じて変化する。誤差増幅器１２６は、基準電圧源からの基準電圧Ｖｒｅｆと、昇圧電圧Ｖｏｄを２つの分圧抵抗第１抵抗１５２、第２抵抗１２４で分圧することにより得られる検出電圧Ｖｓとを比較し、基準電圧Ｖｒｅｆと検出電圧Ｖｓの誤差を増幅してＰＷＭ回路１２８にフィードバックする。ＰＷＭ回路１２８は、誤差増幅器１２６の出力に応じてスイッチのＯＮ時間幅Ｔｏｎを制御することにより、パルス信号のパルス幅を変調し、フィードバック制御により検出電圧Ｖｓを基準電圧Ｖｒｅｆに一致させる。
【００２４】
第１ＬＥＤ２６ａは緑色に発光し、第２ＬＥＤ２６ｂは青色に発光し、第３ＬＥＤ２６ｃは赤色に発光する。ここで、第１ＬＥＤ２６ａと第２ＬＥＤ２６ｂは、一般的に４．５Ｖ程度の駆動電圧で動作するため、前述の昇圧電圧Ｖｏｄは４．５Ｖに設定される。一方、第３ＬＥＤ２６ｃは、一般的に２．５Ｖ程度の駆動電圧で動作するため、Ｖｒは２．５Ｖに設定される。なお、ＬＥＤ２６をイルミネーションとして使用する場合、ＬＥＤ２６を駆動するために、後述の主駆動回路１１２は最大２５ｍＡ程度の電流を流す。
【００２５】
トランジスタＴｒ２からトランジスタＴｒ４は、ＬＥＤ２６と後述の主駆動回路１１２の間に設けられ、ＬＥＤ２６と主駆動回路１１２の間を遮断または導通する。すなわち、トランジスタＴｒ２のゲートに印加される電圧がＨレベルになって、トランジスタＴｒ２がＯＮすれば、第１ＬＥＤ２６ａと後述の第１可変電流回路１４４ａは導通される。なお、トランジスタＴｒ３とトランジスタＴｒ４も同様に動作し、トランジスタＴｒ２からトランジスタＴｒ４がそれぞれＯＮしている期間にわたって、ＬＥＤ２６はそれぞれ点灯する。ここでトランジスタＴｒ２からトランジスタＴｒ４は、後述の第１発光制御部１０６によってそれぞれ独立にＯＮされるものとする。
【００２６】
可変電流回路１４４は、ＬＥＤ２６を駆動するための電流を流す。可変電流回路１４４が流す電流の大きさは、前述の約２５ｍＡを最大値として、後述の第２発光制御部１０８に制御されて、複数段階の値を有する。複数段階の電流の大きさによって、ＬＥＤ２６の輝度が変化する。なお、第１可変電流回路１４４ａから第３可変電流回路１４４ｃは、互いに異なった値の電流を流すことも可能であるが、ここではそれらは同一の電流の値を流すものとする。
【００２７】
ＰＷＭ制御部１３２は、メモリ１３６に記憶されたＬＥＤ２６の発光データと処理ブロック１８からの指示にもとづいて、イルミネーションとしてＬＥＤ２６を所定の色調でそれぞれ発光させるための制御を実行する。ここで、処理ブロック１８からの指示とは、着信を通知する指示などを含む。一方、メモリ１３６に記憶されたＬＥＤ２６の発光データとは、例えば、着信時に、２個以上のＬＥＤ２６を同時に点灯させて、緑色、青色、赤色を混合した色を発光させたり、ＬＥＤ２６のそれぞれを順番に点灯させたりするように、トランジスタＴｒ２からトランジスタＴｒ４を所定の規則でＯＮ／ＯＦＦさせるためのデータである。
【００２８】
また、発光データには、ＬＥＤ２６の点滅にあたって、トランジスタＴｒ２からトランジスタＴｒ４をそれぞれ単純にＯＮ／ＯＦＦさせるようなデータだけではなく、所定の色調を実現するために、ＬＥＤ２６のそれぞれの発光量が異なるようにトランジスタＴｒ２からトランジスタＴｒ４を異なった期間にわたってＯＮさせるようなトランジスタ単位のデータも含む。なお、発光データは、ＬＥＤ２６をフラッシュとして使用する場合にＬＥＤ２６をすべて同一の発光量で発光させるようなデータを含む。
【００２９】
ＰＷＭ回路１３４は、ＰＷＭ制御部１３２からの指示に従って、ＰＷＭ変調を実行する。すなわち、第１ＰＷＭ回路１３４ａが、ＰＷＭ制御部１３２から第１ＬＥＤ２６ａの発光量を多くするように指示された場合、Ｈレベルの期間が長くなるようなパルス信号を発生して、トランジスタＴｒ２に出力する。なお、第２ＰＷＭ回路１３４ｂと第３ＰＷＭ回路１３４ｃも同様である。
【００３０】
設定制御部１３８は、第２発光制御部１０８からの指示に従って、可変電流回路１４４で流す駆動電流の大きさを制御する。ＬＥＤ２６の輝度を高くするためには、可変電流回路１４４で流す駆動電流を大きくするように、設定回路１４０の動作を制御する。前述のごとく、第１可変電流回路１４４ａから第３可変電流回路１４４ｃで流す駆動電流は、すべて同一のため、設定制御部１３８は、第１設定回路１４０ａから第３設定回路１４０ｃに対して同一の制御をする。
【００３１】
付加駆動回路１０４は、画像撮影装置１０を撮像装置として動作させる場合に、ＬＥＤ２６がフラッシュとして機能するように、ＬＥＤ２６に駆動電流を流す。前述のＬＥＤ２６をイルミネーションとして動作させる場合には、駆動電流を最大２５ｍＡとしていたが、フラッシュとして動作させる場合には、駆動電流を最大１５０ｍＡに設定する。また、複数のＬＥＤ２６の発光量が同一になるように駆動電流を流して、複数のＬＥＤ２６の色調を白色にする。このとき、各ＬＥＤ２６をフル発光させたときに、白色光を発するように、予め各色のＬＥＤ２６の個数および配置などを調整しておいてもよい。なお、付加駆動回路１０４の詳細は、後述する。
【００３２】
図４（ａ）は、第１発光制御部１０６の動作を示し、特に第１発光制御部１０６によって生成されるＰＷＭのパルス信号を示す。図示のごとく、第１発光制御部１０６では、ＨレベルとＬレベルが交互に繰り返されたパルス信号が生成され、前述のトランジスタＴｒ２からトランジスタＴｒ４は、Ｈレベルの電圧が印加された場合にＯＮし、その結果として、ＬＥＤ２６が点灯する。第１発光制御部１０６は、ＬＥＤ２６の発光量を増加させる場合に、図示のごとく点線から実線のようなパルス信号になるように、Ｈレベルの期間を長くする。すなわち、デューティ比を大きくする。複数のＬＥＤ２６のディーティ比を調整することで、色調を変化させることができる。
【００３３】
図４（ｂ）は、第２発光制御部１０８の動作を示し、特に可変電流回路１４４によって流される駆動電流の大きさを示す。図示のごとく点線から実線の値になるように駆動電流の大きさを制御すれば、ＬＥＤ２６の輝度が高くなる。
【００３４】
図５は、付加駆動回路１０４の構成を示す。付加駆動回路１０４は、フラッシュ用スイッチ１６０と総称される第１フラッシュ用スイッチ１６０ａ、第２フラッシュ用スイッチ１６０ｂ、第３フラッシュ用スイッチ１６０ｃ、差動増幅器１６４と総称される第１差動増幅器１６４ａ、第２差動増幅器１６４ｂ、第３差動増幅器１６４ｃ、可変電源１６６と総称される第１可変電源１６６ａ、第２可変電源１６６ｂ、第３可変電源１６６ｃ、抵抗１６８と総称される第１抵抗１６８ａ、第２抵抗１６８ｂ、第３抵抗１６８ｃ、トランジスタＴｒ５からトランジスタＴｒ７を含む。
【００３５】
第１フラッシュ用スイッチ１６０ａは第１ＬＥＤ２６ａに接続しており、第２フラッシュ用スイッチ１６０ｂは第２ＬＥＤ２６ｂに接続しており、第３フラッシュ用スイッチ１６０ｃは第３ＬＥＤ２６ｃに接続しており、それぞれ図示しない処理ブロック１８からの指示にもとづいて、ＯＮになる。これらの動作は同一であるため、以後、第１フラッシュ用スイッチ１６０ａと接続した系のみを説明する。
【００３６】
第１差動増幅器１６４ａは、非反転入力端子を第１可変電源１６６ａに接続し、反転入力端子をトランジスタＴｒ５のソース端子に接続し、出力端子をトランジスタＴｒ５のゲート端子に接続して、反転入力端子と非反転入力端子間の電圧に応じた電圧を出力端子から出力する。ここで、反転入力端子と非反転入力端子が仮想的短絡していれば、反転入力端子の電圧は、非反転入力端子の電圧Ｖｘとほぼ等しくなる。さらに、抵抗値Ｒｘの第１抵抗１６８ａが存在するために、Ｖｘ／Ｒｘの値の電流が流れ、この電流がＬＥＤ２６を駆動させる。ここでは、ＬＥＤ２６をフラッシュとして使用するために、最大１５０ｍＡの電流を流せるように、可変電源１６６と抵抗１６８の値を設定している。
【００３７】
以上の構成による発光部１４の動作を説明する。処理ブロック１８によって着信時のイルミネーションの動作が指示された場合、リチウムイオン電池１００から出力されたＶｂａｔが昇圧回路１０２でＶｏｄに昇圧され、第１ＬＥＤ２６ａと第２ＬＥＤ２６ｂに印加される。また、Ｖｂａｔより低い電圧のＶｒが第３ＬＥＤ２６ｃに印加される。ＰＷＭ制御部１３２は、処理ブロック１８の指示に応じて、複数のＬＥＤ２６での発光色の色調に応じた発光量をそれぞれ定め、それに応じたパルス信号のデューティ比をＰＷＭ回路１３４にそれぞれ指定する。ＰＷＭ回路１３４は、ＰＷＭによってパルス信号を生成し、パルス信号のＨレベルの期間にわたってトランジスタＴｒ２からトランジスタＴｒ４をそれぞれＯＮする。一方、第２発光制御部１０８は、処理ブロック１８の指示に応じて、複数のＬＥＤ２６での発光色の輝度に応じた発光量を定め、その値に応じて、設定回路１４０が可変電流回路１４４で流す電流の大きさを調節し、当該電流によって、ＬＥＤ２６を駆動させる。
【００３８】
処理ブロック１８によってフラッシュの動作が指示された場合、ＰＷＭ制御部１３２は、複数のＬＥＤ２６での発光色が白色になるように、ＰＷＭ回路１３４に対してパルス信号のデューティ比を指示する。さらに、フラッシュ用スイッチ１６０がオンになって、ＬＥＤ２６により大きな電流が流れることによって、イルミネーションの場合よりも大きい強度の発光が得られる。
【００３９】
図６は、図３とは異なったタイプの発光部１４の構成を示す。図３の発光部１４と異なって、図６の発光部１４は、第３発光制御部１５４を含み、主駆動回路１１２は、抵抗１４６と総称される第１抵抗１４６ａ、第２抵抗１４６ｂ、第３抵抗１４６ｃを含む。
【００４０】
第３発光制御部１５４は、処理ブロック１８からの指示に応じて、ＬＥＤ２６を駆動するための電圧を生成するように昇圧回路１０２に指示する。前述のごとく、複数のＬＥＤ２６で発光される発光色の色調を第１発光制御部１０６で制御するため、第３発光制御部１５４は、複数のＬＥＤ２６で発光される発光色の輝度を制御する。また、複数のＬＥＤ２６で発光される発光色の輝度も同一であるとする。
【００４１】
昇圧回路１０２は、前述のごとく、電池電圧Ｖｂａｔから昇圧電圧Ｖｏｄを生成する。さらに、前述のショットキーバリアダイオード１２０の構成を並列に有しており、他のＬＥＤ２６としきい値電圧の異なった第３ＬＥＤ２６ｃを駆動するために、昇圧電圧Ｖｏｄと値の異なった昇圧電圧Ｖｏｄ’も生成する。このように異なった昇圧電圧を生成するために、複数のＶｒｅｆが予め用意されるものとする。
抵抗１４６は、電圧を電流に変換し、変換した電流によって、ＬＥＤ２６を駆動する。
【００４２】
図７は、実施例に係る発光制御ＩＣ２００の構成を示す図である。なお、図中において、これまで説明した構成要素は、同一の符号で示し、説明は省略する。発光制御ＩＣ２００は、インターフェース回路２１０、Ｉｒｅｆ回路２１２、Ｖｒｅｆ回路２１４、発光制御部２１６、イルミネーション用スイッチ２１８と総称される第１イルミネーション用スイッチ２１８ａ、第２イルミネーション用スイッチ２１８ｂ、第３イルミネーション用スイッチ２１８ｃを含む。
【００４３】
発光制御ＩＣ２００は、図３の発光部１４と比較して、昇圧回路１０２のインダクタンス１１４、抵抗１１８、ショットキーバリアダイオード１２０、トランジスタＴｒ１を含まず、ＬＥＤ２６、抵抗１６８も含まない。
【００４４】
インターフェース回路２１０は、ＣＰＵ３０からの信号を入力し、ＣＰＵ３０へ信号を出力する。
Ｉｒｅｆ回路２１２とＶｒｅｆ回路２１４は、それぞれ基準となる電流と基準となる電圧を生成する。Ｖｒｅｆ回路２１４で生成されたＶｒｅｆは、誤差増幅器１２６に入力される。
発光制御部２１６は、図３の第１発光制御部１０６と第２発光制御部１０８をまとめた形で示す。発光制御部２１６は、図示しない制御信号線によって可変電流回路１４４を制御する。
【００４５】
イルミネーション用スイッチ２１８は、ＬＥＤ２６をイルミネーションとして使用する場合にＯＮとなり、ＬＥＤ２６をフラッシュとして使用する場合にＯＦＦとなる。図３や図６の発光部１４では、フラッシュとして使用する場合は、可変電源１６６と抵抗１６８によって生成された電流と可変電流回路１４４による電流がＬＥＤ２６を流れていたが、ここでは、前者のみが流れる。
【００４６】
本発明の実施例によれば、パルス信号のデューティ比の調節によって、各ＬＥＤ素子による発光色の色調を制御し、ＬＥＤ素子を駆動するための電流の大きさの調節によって、各ＬＥＤ素子による発光色の輝度を制御できる。また、各ＬＥＤ素子による発光色の色調と輝度を独立に調節できるため、全体のＬＥＤ素子による発光の色調と輝度を容易に調節できる。そのため、既に発光しているＬＥＤ素子による色調を維持したまま、輝度を容易に変化させられ、あるいは輝度を維持したまま、色調を容易に変化させられる。
【００４７】
以上、本発明を実施例をもとに説明した。実施の形態は例示であり、それらの各構成要素や各処理プロセスの組み合わせにいろいろな変形例が可能なこと、またそうした変形例も本発明の範囲にあることは当業者に理解されるところである。
【図面の簡単な説明】
【００４８】
【図１】実施例に係る通信機能を有した画像撮影装置の外観構成を示す図である。
【図２】画像撮影装置の機能ブロックを示す図である。
【図３】図２の発光部の構成を示す図である。
【図４】（ａ）は、図３の第１発光制御部の動作を示す図であり、（ｂ）は、図３の第２発光制御部の動作を示す図である。
【図５】図３の付加駆動回路の構成を示す図である。
【図６】図２の発光部の構成を示す図である。
【図７】実施例に係る発光制御ＩＣの構成を示す図である。
【符号の説明】
【００４９】
１  着信通知部、  ２  カメラ部、  １０  画像撮影装置、  １２  操作部、  １４  発光部、  １６  撮像処理部、  １８  処理ブロック、  ２０  ＬＣＤモニタ、  ２２  通信処理部、  ２４  メロディ部、  ２６  ＬＥＤ、  ２８  処理部、  ３０  ＣＰＵ、  ３２  メモリ、  ３４  スピーカ、  ３６  処理部、  １００  リチウムイオン電池、  １０２  昇圧コンバータ、  １０４  付加駆動回路、  １０６  第１発光制御部、  １０８  第２発光制御部、  １１０  スイッチ部、  １１２  主駆動回路、  １１４  インダクタンス、  １１８  抵抗、  １２０  ショットキーバリアダイオード、  １２２  コンデンサ、  １２４  第２抵抗、  １２６  誤差増幅器、  １２８  ＰＷＭ回路、  １３０  ドライバ、  １３２  ＰＷＭ制御部、  １３４  ＰＷＭ回路、  １３６  メモリ、  １３８  設定制御部、  １４０  設定回路、  １４４  可変電流回路、  １４６  抵抗、  １５０  昇圧チョッパ回路、  １５２  第１抵抗、  １５４  第３発光制御部、  １６０  フラッシュ用スイッチ、  １６４  差動増幅器、  １６６  可変電源、  １６８  抵抗、  ２００  発光制御ＩＣ、  ２１０  インターフェース回路、  ２１２  Ｉｒｅｆ回路、  ２１４  Ｖｒｅｆ回路、  ２１６  発光制御部、  ２１８  イルミネーション用スイッチ、  Ｔｒ１〜Ｔｒ７  トランジスタ。
【図１】
2005102000.tif 000003
【図２】
2005102000.tif 000004
【図３】
2005102000.tif 000005
【図４】
2005102000.tif 000006
【図５】
2005102000.tif 000007
【図６】
2005102000.tif 000008
【図７】
2005102000.tif 000009